(57)【要約】【課題】  外部装置から供給された電力によるバッテリの充電を改善する。【解決手段】  電源制御部（２１３）は、バッテリ（１０６）の出力電圧が基準電圧以上である場合に、ＵＳＢインターフェース部（１０８）への外部装置の接続の検出に応じて、所定時間、システム制御部（２０７）及び通信部（２０９）に電力を供給するように電源部２１２を制御する。電力供給により起動したシステム制御部（２０７）は、所定時間が経過するまでの期間に、通信部（２０９）を介して外部装置に、より大きな電流での給電を要求する。【選択図】  図２
2017045086.tif 000002
【特許請求の範囲】
【請求項１】
充電可能なバッテリと、
前記バッテリを充電できる電力を出力する外部装置と接続でき、前記外部装置とデータを通信するとともに前記外部装置からの電力を受電するインターフェース手段と、
システム制御手段と、
前記インターフェース手段を介して前記インターフェース手段に接続する前記外部装置と通信する通信手段と、
前記外部装置から供給される電力により前記バッテリを充電するとともに、前記外部装置から供給される電力及び前記バッテリの出力電力を出力する分配手段と、
前記分配手段からの電力により少なくとも前記システム制御手段及び前記通信手段に電力を供給する電源手段と、
前記電源手段を制御する電源制御手段であって、前記バッテリの出力電圧が基準電圧以上である場合に、前記外部装置の前記インターフェース手段への接続の検出に応じて、所定時間、前記システム制御手段及び前記通信手段に電力を供給するように前記電源手段を制御する電源制御手段と
を有し、
前記システム制御手段は、前記所定時間が経過するまでの期間に、前記通信手段を介して前記外部装置に、より大きな電力の供給を要求する
ことを特徴とする電子機器。
【請求項２】
前記電源制御手段は、電源スイッチの操作に応じて、前記システム制御手段及び前記通信手段を含む複数の構成要素に電力を供給するように前記電源手段を制御し、前記システム制御手段からの給電維持の制御信号に従い、前記電源手段を給電状態に維持し、前記電源スイッチの次の操作に応じて前記システム制御手段が前記給電維持の制御信号の出力を停止することに応じて、前記複数の構成要素への電力供給を停止するように前記電源手段を制御することを特徴とする請求項１に記載の電子機器。
【請求項３】
前記所定時間は、前記電源手段から供給される電力により前記システム制御手段が前記給電維持の制御信号を出力する時より後までであることを特徴とする請求項１に記載の電子機器。
【請求項４】
前記所定時間は、数十〜数百ｍｓであることを特徴とする請求項３に記載の電子機器。
【請求項５】
充電可能なバッテリと、
前記バッテリを充電できる電力を出力する外部装置と接続でき、前記外部装置とデータを通信するとともに前記外部装置からの電力を受電するインターフェース手段と、
システム制御手段と、
前記インターフェース手段を介して前記インターフェース手段に接続する前記外部装置と通信する通信手段と、
前記外部装置から供給される電力により前記バッテリを充電するとともに、前記外部装置から供給される電力及び前記バッテリの出力電力を出力する分配手段と、
前記分配手段からの電力により少なくとも前記システム制御手段及び前記通信手段に電力を供給する電源手段と、
前記電源手段を制御する電源制御手段と
を有する電子機器の制御方法であって、
前記電源制御手段が、前記バッテリの出力電圧が基準電圧以上である場合に、前記外部装置の前記インターフェース手段への接続の検出に応じて、所定時間、前記システム制御手段及び前記通信手段に電力を供給するように前記電源手段を制御するステップと、
前記システム制御手段が、前記所定時間が経過するまでの期間に、前記通信手段を介して前記外部装置に、より大きな電力の供給を要求するステップと
を有することを特徴とする制御方法。
【発明の詳細な説明】
【技術分野】
【０００１】
本発明は、バッテリを充電することができる電子機器等に関する。
【背景技術】
【０００２】
特許文献１には、外部装置からＵＳＢ（Ｕｎｉｖｅｒｓａｌ  Ｓｅｒｉａｌ  Ｂｕｓ）ケーブルを介して供給される電力を使用して、電子機器がエニュメレーションを行う技術が記載されている。
【先行技術文献】
【特許文献】
【０００３】
【特許文献１】特開２００７−２０３９８号公報
【発明の概要】
【発明が解決しようとする課題】
【０００４】
しかしながら、特許文献１に記載の技術では、外部装置の電力供給能力が不十分或いは不安定である場合は、電子機器がシステムダウンしてしまい、エニュメレーションを正常に完了させることができないことがある。電子機器がエニュメレーションを正常に完了させることができない場合、電子機器は、外部装置からより大きな電力（例えば、電流：最大で５００ｍＡ、電圧：５Ｖ）の供給を受けることができない。外部装置からより大きな電力の供給を受けることができない場合、電子機器は、電子機器に接続されているバッテリの充電時間を短くすることができない。
【０００５】
本発明は、このような問題点を解決する電子機器及び制御方法を提示することを目的とする。
【課題を解決するための手段】
【０００６】
本発明に係る電子機器は、充電可能なバッテリと、前記バッテリを充電できる電力を出力する外部装置と接続でき、前記外部装置とデータを通信するとともに電気外部装置からの電力を受電するインターフェース手段と、システム制御手段と、前記インターフェース手段を介して前記インターフェース手段に接続する前記外部装置と通信する通信手段と、前記外部装置から供給される電力により前記バッテリを充電するとともに、前記外部装置から供給される電力及び前記バッテリの出力電力を出力する分配手段と、前記分配手段からの電力により少なくとも前記システム制御手段及び前記通信手段に電力を供給する電源手段と、前記電源手段を制御する電源制御手段であって、前記バッテリの出力電圧が基準電圧以上である場合に、前記外部装置の前記インターフェース手段への接続の検出に応じて、所定時間、前記システム制御手段及び前記通信手段に電力を供給するように前記電源手段を制御する電源制御手段とを有し、前記システム制御手段は、前記所定時間が経過するまでの期間に、前記通信手段を介して前記外部装置に、より大きな電力の供給を要求することを特徴とする。
【発明の効果】
【０００７】
本発明によれば、バッテリによる給電の下でエニュメレーションを行うことができるので、バッテリの充電時間を短縮できる可能性が高まる。これにより、充電時間が不必要に長くなってしまう事態を回避することができる。
【図面の簡単な説明】
【０００８】
【図１】実施例１に係る電子機器１００の外観の一例を示す図である。
【図２】実施例１に係る電子機器１００が有する複数の構成要素の一例を説明するためのブロック図である。
【図３】電源制御部２１３が有する複数の構成要素の一例を説明するためのブロック図である。
【図４】制御信号選択部３０５に入力される制御信号と制御信号選択部３０５から出力される制御信号との関係の一例を説明するためのタイミングチャートである。
【図５】制御信号選択部３０５に入力される制御信号と制御信号選択部３０５から出力される制御信号との関係の別の例を説明するためのタイミングチャートである。
【図６】パワーオフ状態である電子機器１００に外部装置が接続された場合に行われる制御手順の一例を説明するためのフローチャートである実施例１の動作フローチャートである。
【発明を実施するための形態】
【０００９】
以下、図面を参照して、本発明の実施例を説明する。ただし、本発明は以下の実施例に限定されるものではない。
【実施例１】
【００１０】
図１は、実施例１に係る電子機器１００の外観の一例を示す図である。図１（ａ）は、電子機器１００の正面図の一例である。図１（ｂ）は、電子機器１００の背面図の一例を示す。電子機器１００は、例えば、撮像装置または携帯電話として動作する。デジタルカメラは、撮像装置の一例である。カメラ付き携帯電話は、携帯電話の一例である。
【００１１】
撮像光学系１０１は、レンズ及びシャッタを含み、被写体の光学像を撮像素子（ＣＣＤセンサ等）の受光面上に結像させる。表示部１０２は、液晶ディスプレイ等の表示器を有し、画像や各種情報を表示する。シャッタボタン１０３は、撮影の指示を行うための指示手段である。指示入力部１０４は、ユーザからの様々な指示を電子機器１００に入力できるように構成されている。電源スイッチ１０５は、電子機器１００をパワーオン状態にするか、パワーオフ状態にするかを切り替えるためのスイッチである。バッテリ１０６は、充電可能なバッテリである。バッテリ１０６は、バッテリ収納部１０７に収納された場合に、電子機器１００に接続される。ＵＳＢインターフェース部１０８は、ＵＳＢ（Ｕｎｉｖｅｒｓａｌ  Ｓｅｒｉａｌ  Ｂｕｓ）規格に準拠した通信インターフェースである。ＵＳＢインターフェース部１０８は、ＵＳＢケーブルを介して、外部装置と接続可能である。ＵＳＢインターフェース部１０８に接続される外部装置は、ホスト装置または電源装置として動作する。例えば、外部装置がパーソナルコンピュータである場合、外部装置はホスト装置として動作する。例えば、外部装置がＡＣアダプタである場合、外部装置は電源装置として動作する。
【００１２】
図２は、実施例１に係る電子機器１００が有する複数の構成要素の一例を説明するためのブロック図である。電子機器１００が有する構成要素の一部は、ハードウェア構成を有する。
【００１３】
撮像光学系１０１は、レンズユニット２０１及びシャッタ２０２を有する。撮像部２０３は、光学像を電気信号に変換する撮像素子（ＣＣＤセンサ等）を有し、撮像素子で生成された電気信号を出力する。画像処理部２０４は、撮像部２０３から出力された電気信号からデジタル画像データ（静止画像、動画像のいずれでもよい）を生成する。画像処理部２０４は、相関二重サンプリング回路と、所望の増幅度に設定可能なプログラマブル・ゲイン・アンプと、アナログ信号をデジタル信号に変換するＡ／Ｄ変換器とを含む。タイミング信号発生部２０５は、撮像部２０３及び画像処理部２０４をどう起動させるタイミング信号を発生する。光学系駆動部２０６は、撮影レンズ２０１及びシャッタ２０２をそれぞれ駆動する。
【００１４】
システム制御部２０７は、電子機器１００が有する各構成要素を制御することができる。システム制御部２０７は、画像処理部２０４で生成されたデジタル画像データをメモリ２０８に書き込む。システム制御部２０７は、画像処理部２０４で生成されたデジタル画像データから縮小画像データを生成し、縮小画像データをメモリ２０８に書き込まれる。メモリ２０８は、画像処理部２０４で生成されたデジタル画像データと、システム制御部２０７で生成された縮小画像データとを格納する。メモリ２０８は、所定枚数の静止画像或いは所定時間の動画像を格納するのに十分な記憶容量を有する。システム制御部２０７は、メモリ２０８に格納されている縮小画像データを表示部１０２に供給する。こうして、メモリ２０８に書き込まれた縮小画像データは、表示部１０２に表示される。
【００１５】
シャッタボタン１０３、指示入力部１０４及び電源スイッチ１０５は、システム制御部２０７にユーザからの指示を入力するための指示手段として動作する。シャッタボタン１０３が半押し状態にされた場合、システム制御部２０７は、ＡＦ（オートフォーカス）処理、ＡＥ（自動露出）処理、ＡＷＢ（オートホワイトバランス）処理等を開始する。シャッタボタン１０３が全押し状態にされた場合、システム制御部２０７は、撮像処理を開始する。これにより、メモリ２０８には、画像処理部２０４で生成されたデジタル画像データが格納される。
【００１６】
ＵＳＢインターフェース部１０８は、通信部２０９と受電部２１０とに接続されている。通信部２０９は、ＵＳＢインターフェース部１０８に接続された外部装置との間でデータ通信を行うことができる。受電部２１０は、ＵＳＢインターフェース部１０８に接続された外部装置から供給される電力を受け取ることができる。ＵＳＢインターフェース部１０８がＵＳＢ２．０に準拠している場合、ＵＳＢインターフェース部１０８は、エニュメレーションが正常に完了した後に、最大で５００ｍＡの電流を外部装置から引き込むことができる。ＵＳＢインターフェース部１０８がＵＳＢ３．１に準拠している場合、ＵＳＢインターフェース部１０８は、エニュメレーションが正常に完了した後に、最大で９００ｍＡの電流を外部装置から引き込むことができる。
【００１７】
分配部２１１は、バッテリ１０６の出力電力と受電部２１０から分配部２１１に供給される電力とを、電源部２１２及び電源制御部２１３に電力を供給するように構成されている。分配部２１１は、バッテリ１０６を充電する充電制御回路を有する。分配部２１１は、電子機器１００がパワーオフ状態であっても、受電部２１０から供給される電力を用いてバッテリ１０６を充電することができる。
【００１８】
電源制御部２１３は、電源部２１２から複数の構成要素への給電を制御することができるように構成されている。電源部２１２は、分配部２１１から供給される電力を、システム制御部２０７及び通信部２０９を含む複数の構成要素に供給できるように構成されている。
【００１９】
図３は、電源制御部２１３が有する複数の構成要素の一例を説明するためのブロック図である。電源制御部２１３は、電圧検出部３０１と、電圧比較部３０２と、基準電圧生成部３０３と、制御信号生成部３０４と、制御信号選択部３０５とを有する。電源制御部２１３が有する構成要素の一部は、ハードウェア構成を有する。
【００２０】
電圧検出部３０１は、バッテリ１０６から電源制御部２１３に供給されたバッテリ１０６の出力電圧を検出し、検出電圧をシステム制御部２０７と電圧比較部３０２とに出力する。なお、電圧検出部３０１は、電源部２１２がシステム制御部２０７に電力を供給している期間は、検出電圧をシステム制御部２０７に供給するのが望ましい。電圧比較部３０２は、電圧検出部３０１からの検出電圧と基準電圧生成部３０３からの基準電圧とを比較する。電圧比較部３０２は、検出電圧が基準電圧以上である場合は、Ｈ信号を制御信号生成部３０４に供給し、検出電圧が基準電圧未満である場合は、Ｌ信号を制御信号生成部３０４に供給する。ここで、基準電圧は、通信部２０９がバッテリ１０６の出力電力のみでエニュメレーションを完了させるのに十分なバッテリ１０６の残容量に相当する電圧である。
【００２１】
基準電圧生成部３０３は、電圧比較部３０２に供給される基準電圧を生成する。制御信号生成部３０４は、所定時間Ｔ１をカウントするためのタイマ回路を有する。制御信号生成部３０４は、制御信号Ｘ３（Ｈ信号またはＬ信号）を生成し、生成した制御信号Ｘ３（Ｈ信号またはＬ信号）をシステム制御部２０７と制御信号選択部３０５とに供給する。制御信号生成部３０４は、制御信号生成部３０４が電圧比較部３０２からＨ信号を受信してから所定時間Ｔ１が経過するまでの期間は、制御信号Ｘ３（Ｈ信号）をシステム制御部２０７と制御信号選択部３０５とに供給する。制御信号生成部３０４は、制御信号生成部３０４が電圧比較部３０２からＨ信号を受信してから所定時間Ｔ１が経過するまでの期間以外の期間は、制御信号Ｘ３（Ｌ信号）をシステム制御部２０７と制御信号選択部３０５とに供給する。なお、制御信号生成部３０４は、制御信号生成部３０４が電圧比較部３０２からＨ信号を受信してから所定時間Ｔ１が経過するまでの期間であって、電源部２１２がシステム制御部２０７に電力を供給している期間に、制御信号Ｘ３（Ｈ信号）をシステム制御部２０７に供給するようにするのが望ましい。
【００２２】
制御信号選択部３０５には、電源スイッチ１０５で生成された制御信号Ｘ１（Ｈ信号またはＬ信号）が電源スイッチ１０５から入力される。電源スイッチ１０５が操作された場合、電源スイッチ１０５は、所定時間、制御信号Ｘ１（Ｈ信号）をシステム制御部２０７と制御信号選択部３０５とに供給する。なお、電源スイッチ１０５は、電源部２１２がシステム制御部２０７に電力を供給している期間に、制御信号Ｘ１（Ｈ信号）をシステム制御部２０７に供給するようにするのが望ましい。
【００２３】
制御信号選択部３０５には、システム制御部２０７で生成された制御信号Ｘ２（Ｈ信号またはＬ信号）がシステム制御部２０７から入力される。制御信号Ｘ２は、電子機器１００がパワーオン状態であうことを維持するための制御信号である。電子機器１００をパワーオン状態に維持したい場合、システム制御部２０７は、制御信号Ｘ２（Ｈ信号）を制御信号選択部３０５に供給する。電子機器１００をパワーオン状態に維持することを停止したい場合、システム制御部２０７は、制御信号Ｘ２（Ｌ信号）を制御信号選択部３０５に供給する。
【００２４】
制御信号選択部３０５は、制御信号Ｙ（Ｈ信号またはＬ信号）を生成する。制御信号選択部３０５は、制御信号Ｘ１、Ｘ２及びＸ３のいずれもがＬ信号である限り、制御信号Ｙ（Ｌ信号）を電源部２１２に供給し続ける。そして、制御信号選択部３０５は、制御信号Ｘ１、Ｘ２及びＸ３のいずれかがＨ信号である場合は、制御信号Ｙ（Ｈ信号）を電源部２１２に供給し続ける。制御信号選択部３０５は、電源スイッチ１０５、システム制御部２０７及び制御信号生成部３０４からの制御信号Ｘ１、Ｘ２及びＸ３の論理和を出力する論理ＯＲ回路として機能する。
【００２５】
電源部２１２は、制御信号選択部３０５からの制御信号ＹがＨ信号である期間は、分配部２１１から供給される電力を、システム制御部２０７及び通信部２０９を含む複数の構成要素に供給する。
【００２６】
図４は、制御信号選択部３０５に入力される制御信号と制御信号選択部３０５から出力される制御信号との関係の一例を説明するためのタイミングチャートである。図４では、制御信号生成部３０４がＬ信号を出力する場合の例を説明する。
【００２７】
図４において、入力信号Ｘ１は、電源スイッチ１０５から制御信号選択部３０５に入力される制御信号Ｘ１に相当する。入力信号Ｘ２は、システム制御部２０７から制御信号選択部３０５に入力される制御信号Ｘ２に相当する。入力信号３は、制御信号生成部３０４から制御信号選択部３０５に入力される制御信号Ｘ３に相当する。出力信号Ｙは、制御信号選択部３０５から電源部２１２に供給される制御信号Ｙに相当する。
【００２８】
電子機器１００がパワーオフ状態である場合に電源スイッチ１０５が操作された場合、電源スイッチ１０５は、所定期間、制御信号Ｘ１（Ｈ信号）をシステム制御部２０７と制御信号選択部３０５とに供給する。制御信号Ｘ１（Ｈ信号）を受信した制御信号選択部３０５は、制御信号Ｙ（Ｈ信号）の電源部２１２への供給を開始する。制御信号Ｙ（Ｈ信号）を受け取った電源部２１２は、システム制御部２０７及び通信部２０９を含む複数の構成要素への電力供給を開始する。電源部２１２からの電力供給を受けたシステム制御部２０７は、電子機器１００をパワーオン状態にするための所定の処理を行うとともに、制御信号Ｘ２（Ｈ信号）の制御信号選択部３０５への供給を開始する。システム制御部２０７は、電子機器１００がパワーオン状態であることを維持するために、制御信号Ｘ２（Ｈ信号）を制御信号選択部３０５に継続して供給する。
【００２９】
電子機器１００がパワーオン状態である場合に電源スイッチ１０５が操作された場合、電源スイッチ１０５は、所定期間、制御信号Ｘ１（Ｈ信号）をシステム制御部２０７と制御信号選択部３０５とに供給する。システム制御部２０７は、電源スイッチ１０５からの制御信号Ｘ１がＬ信号からＨ信号に変化したことを検出した場合は、電子機器１００をパワーオフ状態にするための所定の処理を行う。電子機器１００をパワーオフ状態にするための所定の処理を行った後、システム制御部２０７は、制御信号Ｘ２（Ｌ信号）の制御信号選択部３０５への供給を開始する。制御信号Ｘ１、Ｘ２及びＸ３のいずれもがＬ信号になった場合、制御信号選択部３０５は、制御信号Ｙ（Ｌ信号）の電源部２１２への供給を開始する。制御信号Ｙ（Ｌ信号）を受け取った電源部２１２は、システム制御部２０７及び通信部２０９を含む複数の構成要素への電力供給を停止する。これにより、電子機器１００は、パワーオフ状態になる。
【００３０】
図５は、制御信号選択部３０５に入力される制御信号と制御信号選択部３０５から出力される制御信号との関係の別の例を説明するためのタイミングチャートである。図５では、制御信号生成部３０４がＨ信号を出力する場合の例を説明する。
【００３１】
図５において、入力信号Ｘ１は、電源スイッチ１０５から制御信号選択部３０５に入力される制御信号Ｘ１に相当する。入力信号Ｘ２は、システム制御部２０７から制御信号選択部３０５に入力される制御信号Ｘ２に相当する。入力信号Ｘ３は、制御信号生成部３０４から制御信号選択部３０５に入力される制御信号Ｘ３に相当する。出力信号Ｙは、制御信号選択部３０５から電源部２１２に供給される制御信号Ｙに相当する。
【００３２】
バッテリ１０６の出力電圧が基準電圧以上である場合、制御信号生成部３０４は、電圧比較部３０２からＨ信号を受信する。電圧比較部３０２からＨ信号を受信した場合、制御信号生成部３０４は、所定時間Ｔ１が経過するまでの期間、制御信号Ｘ３（Ｈ信号）をシステム制御部２０７と制御信号選択部３０５とに供給する。制御信号Ｘ３（Ｈ信号）を受信した制御信号選択部３０５は、制御信号Ｙ（Ｈ信号）の電源部２１２への供給を開始する制御信号Ｙ（Ｈ信号）を受け取った電源部２１２は、システム制御部２０７及び通信部２０９を含む複数の構成要素への電力供給を開始する。電源部２１２からの電力供給を受けたシステム制御部２０７は、電子機器１００をパワーオン状態にするための所定の処理を行うとともに、制御信号Ｘ２（Ｈ信号）の制御信号選択部３０５への供給を開始する。システム制御部２０７は、電子機器１００がパワーオン状態であることを維持するために、制御信号Ｘ２（Ｈ信号）を制御信号選択部３０５に継続して供給する。
【００３３】
所定時間Ｔ１が経過した場合、制御信号生成部３０４は、制御信号Ｘ３（Ｌ信号）をシステム制御部２０７と制御信号選択部３０５とに供給する。しかしながら、所定時間Ｔ１が経過した場合であっても、システム制御部２０７は、電子機器１００がパワーオン状態であることを維持するために、制御信号Ｘ２（Ｈ信号）を制御信号選択部３０５に継続して供給している。そのため、所定時間Ｔ１が経過した場合であっても、制御信号選択部３０５は、制御信号Ｙ（Ｈ信号）を電源部２１２に継続して供給することができる。これにより、所定時間Ｔ１が経過した場合であっても、電源部２１２は、システム制御部２０７及び通信部２０９を含む複数の構成要素への電力供給を継続することができる。
【００３４】
電子機器１００がパワーオン状態である場合に電源スイッチ１０５が操作された場合、電源スイッチ１０５は、所定期間、制御信号Ｘ１（Ｈ信号）をシステム制御部２０７と制御信号選択部３０５とに供給する。システム制御部２０７は、電源スイッチ１０５からの制御信号Ｘ１がＬ信号からＨ信号に変化したことを検出した場合は、電子機器１００をパワーオフ状態にするための所定の処理を行う。電子機器１００をパワーオフ状態にするための所定の処理を行った後、システム制御部２０７は、制御信号Ｘ２（Ｌ信号）の制御信号選択部３０５への供給を開始する。制御信号Ｘ１、Ｘ２及びＸ３のいずれもがＬ信号になった場合、制御信号選択部３０５は、制御信号Ｙ（Ｌ信号）の電源部２１２への供給を開始する。制御信号Ｙ（Ｌ信号）を受け取った電源部２１２は、システム制御部２０７及び通信部２０９を含む複数の構成要素への電力供給を停止する。これにより、電子機器１００は、パワーオフ状態になる。
【００３５】
図６は、パワーオフ状態である電子機器１００に外部装置が接続された場合に行われる制御手順の一例を説明するためのフローチャートである。
【００３６】
ステップＳ６０１で、ユーザが、外部装置を電子機器１００に接続する。外部装置が電子機器１００に接続された場合、受電部２１０は、ＵＳＢインターフェース部１０８を介して外部装置から受け取った電力で動作を開始する。そして、受電部２１０は、外部装置から受け取った電力を分配部２１１に供給する。
【００３７】
ステップＳ６０２で、分配部２１１は、受電部２１０から分配部２１１に供給された電力で動作を開始し、受電部２１０の電流リミットを第１の電流値に設定する。第１の電流値は、例えば、１００ｍＡ又は１５０ｍＡ以下の値である。受電部２１０の電流リミットを第１の電流値に設定することにより、受電部２１０は、最大で第１の電流値に相当する電流を外部装置から引き込むことができる。
【００３８】
ステップＳ６０３で、分配部２１１は、バッテリ１０６の充電を開始する。ここで、分配部２１１は、外部装置からの受電電力でバッテリ１０６を充電する。
【００３９】
ステップＳ６０４で、制御信号生成部３０４は、制御信号Ｘ３（Ｈ信号）をシステム制御部２０７と制御信号選択部３０５とに供給するか否かを判定する。例えば、バッテリ１０６の出力電圧が基準電圧以上である場合、制御信号生成部３０４は、制御信号Ｘ３（Ｈ信号）をシステム制御部２０７と制御信号選択部３０５とに供給する。制御信号Ｘ３（Ｈ信号）を受信した制御信号選択部３０５は、制御信号Ｙ（Ｈ信号）の電源部２１２への供給を開始する。制御信号選択部３０５が制御信号Ｙ（Ｈ信号）の電源部２１２への供給を開始した場合、ステップＳ６０４からステップＳ６０５に進む（ステップＳ６０４でＹ）。
【００４０】
ステップＳ６０４において、バッテリ１０６の出力電圧が基準電圧未満である場合、制御信号生成部３０４は、制御信号Ｘ３（Ｌ信号）をシステム制御部２０７と制御信号選択部３０５とに供給する。制御信号選択部３０５は、制御信号Ｘ１、Ｘ２及びＸ３のいずれかがＨ信号でない限り、制御信号Ｙ（Ｌ信号）を電源部２１２に供給し続ける。制御信号選択部３０５が制御信号Ｙ（Ｈ信号）を電源部２１２に供給している期間は、バッテリ１０６の充電を継続するために、ステップＳ６０４からステップＳ６０３に戻る（ステップＳ６０３でＹ）。従って、制御信号選択部３０５が制御信号Ｙ（Ｈ信号）を電源部２１２に供給している期間、分配部２１１は、バッテリ１０６の充電を継続することができる。
【００４１】
ステップＳ６０５で、制御信号生成部３０４は、所定時間Ｔ１のカウントを開始する。ステップＳ６０５で、分配部２１１は、バッテリ１０６の充電を停止する。ステップＳ６０５で、バッテリ１０６の出力電力は、分配部２１１に供給される。
【００４２】
ステップＳ６０６で、制御信号Ｙ（Ｈ信号）を受信した電源部２１２は、分配部２１１から電源部２１２に供給された電力で動作を開始する。動作を開始した電源部２１２は、システム制御部２０７及び通信部２０９を含む複数の構成要素への電力供給を開始する。
【００４３】
ステップＳ６０７で、システム制御部２０７は、電源部２１２からシステム制御部２０７に供給された電力で動作を開始する。動作を開始したシステム制御部２０７は、電子機器１００をパワーオン状態にするための所定の処理を行うとともに、制御信号Ｘ２（Ｈ信号）の制御信号選択部３０５への供給を開始する。
【００４４】
ステップＳ６０８で、制御信号生成部３０４は、所定時間Ｔ１が経過したか否かを判定する。そして、所定時間Ｔ１が経過した後、制御信号生成部３０４は、制御信号Ｘ３（Ｌ信号）の制御信号選択部３０５への供給を開始する。
【００４５】
ステップＳ６０９で、分配部２１１は、受電部２１０から分配部２１１への電力の供給を停止する。これにより、バッテリの出力電力のみが分配部２１１から電源部２１２に供給されることになる。その結果、通信部２０９は、バッテリ１０６の出力電力のみで動作することになる。
【００４６】
ステップＳ６１０で、システム制御部２０７は、エニュメレーションの開始を通信部２０９に指示する。これにより、通信部２０９は、バッテリ１０６の出力電力のみでエニュメレーションを行う。エニュメレーションが完了した後、分配部２１１は、受電部２１０の電流リミットを第１の電流値から第２の電流値に変更する。第２の電流値は、第１の電流値よりも大きい値であり、例えば、５００ｍＡ又は９００ｍＡ以下の値である。
【００４７】
このように、制御信号生成部３０４は、制御信号Ｘ１、Ｘ２及びＸ３のいずれかがＨ信号である場合は、制御信号Ｙ（Ｈ信号）を電源部２１２に供給することができる。これにより、システム制御部２０７がパワーオフ状態であっても、バッテリ１０６の出力電圧が基準電圧以上である場合は、システム制御部２０７及び通信部２０９への電力供給を開始することができる。そして、通信部２０９は、バッテリ１０６の出力電力のみで動作し、エニュメレーションを行うことができる。言い換えれば、通信部２０９は、外部装置からの受電電力を用いることなく、エニュメレーションを行うことができる。
【００４８】
なお、所定時間Ｔ１は、電源部２１２が動作を開始してから、システム制御部２０７が制御信号選択部３０５に制御信号Ｘ２（Ｈ信号）を供給するまでの時間よりも長い時間（数十〜数百ｍｓ程度）であればよい。ただし、所定時間Ｔ１は、これよりも長くても短くてもよい。
【００４９】
このように、電子機器１００は、電子機器１００に接続されたバッテリ１０６の出力電力のみでエニュメレーションを行うことができる。言い換えれば、電子機器１００は、外部装置からの受電電力を用いることなく、エニュメレーションを行うことができる。これにより、電子機器１００は、システム制御部２０７がダウンしてしまうことなく、エニュメレーションを完了させることができる。その結果、電子機器１００は、エニュメレーション後に、最大で５００ｍＡ（ＵＳＢ２．０の場合）或いは最大で９００ｍＡ（ＵＳＢ３．１の場合）までの電流を外部装置から引き込むことができ、所望の電流値でバッテリ１０６を充電することができる。
【実施例２】
【００５０】
実施例１で説明した様々な機能、処理及び方法は、パーソナルコンピュータ、マイクロコンピュータ、ＣＰＵ（Ｃｅｎｔｒａｌ  Ｐｒｏｃｅｓｓｉｎｇ  Ｕｎｉｔ）などがプログラムを用いて実現することもできる。以下、実施例２では、パーソナルコンピュータ、マイクロコンピュータ、ＣＰＵなどを「コンピュータＸ」と呼ぶ。また、実施例２では、コンピュータＸを制御するためのプログラムであって、実施例１で説明した様々な機能、処理及び方法を実現するためのプログラムを「プログラムＹ」と呼ぶ。
【００５１】
実施例１で説明した様々な機能、処理及び方法は、コンピュータＸがプログラムＹを実行することによって実現される。この場合において、プログラムＹは、コンピュータ読み取り可能な記憶媒体を介してコンピュータＸに供給される。実施例２におけるコンピュータ読み取り可能な記憶媒体は、ハードディスク装置、磁気記憶装置、光記憶装置、光磁気記憶装置、メモリカード、揮発性メモリ、不揮発性メモリなどの少なくとも一つを含む。実施例２におけるコンピュータ読み取り可能な記憶媒体は、ｎｏｎ−ｔｒａｎｓｉｔｏｒｙ（非一時的）な記憶媒体である。
【図１】
2017045086.tif 000003
【図２】
2017045086.tif 000004
【図３】
2017045086.tif 000005
【図４】
2017045086.tif 000006
【図５】
2017045086.tif 000007
【図６】
2017045086.tif 000008